(57)【要約】【課題】  写真プリントや差出人に関する情報を、確実且つ簡単に受け取る側に伝える。【解決手段】  葉書貼り付け機２は、第１圧接部２４で、写真プリント１０に貼着された両面テープ３１の接着剤層とＲＦＩＤシート１１とを密着させた後、第２圧接部２７で、ＲＦＩＤシート１１の両面テープの接着剤層と葉書１２とを密着させる。これにより、写真プリント１０と葉書１２との間にＲＦＩＤシート１１が挟み込まれる。葉書付き写真プリント１３を受け取る側が、ＲＦＩＤリーダで読み取るだけで、確実且つ簡単にＲＦＩＤシート１１のメモリ６０に記録された写真プリント１０や差出人に関する情報を得ることができる。【選択図】        図１
2005144706.tif 000002
【特許請求の範囲】
【請求項１】
写真プリントに葉書を貼り合わせてなる葉書付き写真プリントにおいて、
前記写真プリントや差出人に関する情報が記録されたＲＦＩＤシートを、前記写真プリントと葉書との間に挟み込んだことを特徴とする葉書付き写真プリント。
【請求項２】
写真プリントに葉書を貼り合わせて葉書付き写真プリントを作成する方法において、
前記写真プリントや差出人に関する情報が記録されたＲＦＩＤシートを、前記写真プリントに貼り合わせる工程と、
前記写真プリントとの間で前記ＲＦＩＤシートを挟むように、前記葉書を貼り合わせる工程とを備えたことを特徴とする葉書付き写真プリントの作成方法。
【請求項３】
写真プリントに葉書を貼り合わせて葉書付き写真プリントを作成する装置において、
前記写真プリントや差出人に関する情報が記録されたＲＦＩＤシートを、前記写真プリントに貼り合わせるＲＦＩＤシート貼着手段と、
前記写真プリントとの間で前記ＲＦＩＤシートを挟むように、前記葉書を貼り合わせる葉書貼着手段とを備えたことを特徴とする葉書付き写真プリントの作成装置。
【発明の詳細な説明】
【技術分野】
【０００１】
本発明は、写真プリントに葉書を貼り合わせてなる葉書付き写真プリント、およびその作成方法、並びに作成装置に関する。
【背景技術】
【０００２】
年賀状や暑中見舞い、結婚や子供の誕生報告などの挨拶状として、写真プリントの裏面に郵便用葉書を貼り合わせた葉書付き写真プリント（ポストカード）が知られている（特許文献１〜４参照）。このような葉書付き写真プリントは、プリンタプロセッサなどの画像記録装置により、写真フイルムから読み取った画像を印画紙に焼き付け、印画紙に現像処理を施した後、これにより得られた写真プリントの裏面側に、葉書貼り付け機で葉書を貼着し、個々の画像毎に葉書寸法に切断することにより作成される。
【０００３】
【特許文献１】特開平１１−１１９３５３号公報
【特許文献２】特開平１１−２８９１号公報
【特許文献３】特開平９−３０４９０１号公報
【特許文献４】特開平９−１７５０５９号公報
【発明の開示】
【発明が解決しようとする課題】
【０００４】
特許文献１〜４に記載の葉書付き写真プリントでは、文章を書き込むスペースが少なく、盛り込むことができる情報量に限りがあるため、葉書を受け取る側に写真プリントや差出人に関する情報を十分に伝えられないおそれがあった。
【０００５】
本発明は、上記課題を鑑みてなされたものであり、写真プリントや差出人に関する情報を、確実且つ簡単に受け取る側に伝えることができる葉書付き写真プリント、およびその作成方法、並びに作成装置を提供することを目的とする。
【課題を解決するための手段】
【０００６】
上記目的を達成するために、本発明は、写真プリントに葉書を貼り合わせてなる葉書付き写真プリントにおいて、前記写真プリントや差出人に関する情報が記録されたＲＦＩＤシートを、前記写真プリントと葉書との間に挟み込んだことを特徴とする。
【０００７】
また、本発明は、写真プリントに葉書を貼り合わせて葉書付き写真プリントを作成する方法において、前記写真プリントや差出人に関する情報が記録されたＲＦＩＤシートを、前記写真プリントに貼り合わせる工程と、前記写真プリントとの間で前記ＲＦＩＤシートを挟むように、前記葉書を貼り合わせる工程とを備えたことを特徴とする。
【０００８】
さらに、本発明は、写真プリントに葉書を貼り合わせて葉書付き写真プリントを作成する装置において、前記写真プリントや差出人に関する情報が記録されたＲＦＩＤシートを、前記写真プリントに貼り合わせるＲＦＩＤシート貼着手段と、前記写真プリントとの間で前記ＲＦＩＤシートを挟むように、前記葉書を貼り合わせる葉書貼着手段とを備えたことを特徴とする。
【発明の効果】
【０００９】
本発明の葉書付き写真プリント、およびその作成方法、並びに作成装置によれば、写真プリントや差出人に関する情報が記録されたＲＦＩＤシートを、写真プリントと葉書との間に挟み込むので、写真プリントや差出人に関する情報を、確実且つ簡単に受け取る側に伝えることができる。したがって、葉書付き写真プリントの利用価値をさらに向上させることができる。
【発明を実施するための最良の形態】
【００１０】
図１に示す葉書貼り付け機２は、プリンタプロセッサなどの画像記録装置で得られたロール状の写真プリント１０にＲＦＩＤシート１１を貼り合わせた後、葉書１２を貼り合わせて葉書寸法に切断し、葉書付き写真プリント１３を作成するものである。
【００１１】
図２に示すように、ＲＦＩＤシート１１は、写真プリント１０や差出人に関する情報（写真の撮影日時、撮影場所やコメント、差出人の住所、氏名、電話番号、メールアドレスなどの個人情報）を記録するメモリ６０と、このメモリ６０への情報の書き込み、読み出しを制御する制御回路６１と、アンテナ６２を介してＲＦＩＤリーダに情報を無線送信するＲＦ回路６３とから構成される。なお、ＲＦＩＤシート１１は、接着剤層と離形紙４３とからなる両面テープが予め裏面に貼り付けられている。また、ＲＦＩＤシート１１は、写真プリント１０に貼着した際に、後述する写真プリント１０のコマ穴およびソート穴が隠れないような寸法となっている。
【００１２】
図１において、葉書貼り付け機２は、写真プリント１０の搬送経路２０を形成する複数の搬送ローラからなる搬送ローラ群、接着剤塗布部２１、ＲＦＩＤシート供給部２２、ＲＦＩＤシート送り出し部２３、第１圧接部２４、葉書供給部２５、葉書送り出し部２６、第２圧接部２７、および切断部２８を備えている。
【００１３】
接着剤塗布部２１は、接着剤層と離形紙３０とからなる両面テープ３１を、写真プリント１０の裏面側に貼着する。両面テープ３１が貼り付けられた写真プリント１０は、その状態で複数の搬送ローラによりしばらく搬送される。そして、第１スクレーパ３２により離形紙３０を剥離されて接着剤層のみが裏面側に残った状態とされ、第１圧接部２４に導かれる。
【００１４】
ＲＦＩＤシート供給部２２は、両面テープが貼着された側を下にして、ＲＦＩＤシート１１が積層される昇降台３３と、この昇降台３３の上方に設けられた吸着部３４と、ＲＦＩＤシート１１と吸着部３４との間に配置されたさばきアーム３５とから構成される。吸着部３４は、図示しないモータの正逆回転によって昇降台３３が上昇した時に、昇降台３３に積層されたＲＦＩＤシート１１のうち、最上層にあるＲＦＩＤシート１１を吸着保持する。
【００１５】
さばきアーム３５は、昇降台３３の昇降方向と平行に配されたロッドに沿って上下動可能となっており、昇降台３３の下降時に他のＲＦＩＤシート１１とともに自重で下がるが、このとき吸着部３４に吸着されたＲＦＩＤシート１１の端部に引っ掛かって留められる。このため、他のＲＦＩＤシート１１とともに下まで下降することができず、吸着されたＲＦＩＤシート１１の端部を湾曲させた状態で止まる。この湾曲により、静電気などで最上層のＲＦＩＤシート１１の下側に積層されたＲＦＩＤシート１１が、最上層のＲＦＩＤシート１１とともに吸着部３４側に残っていても、最上層のＲＦＩＤシート１１から離れて落下するため、吸着部３４には確実に１枚のＲＦＩＤシート１１のみが吸着される。吸着部３４に吸着保持されたＲＦＩＤシート１１は、ＲＦＩＤシート送り出し部２３にスライド送りされる。      
【００１６】
ＲＦＩＤシート送り出し部２３には、同期して回転する２対の送り出しローラ対３６、３７と、ＲＦＩＤシート１１の先端を検出する先端位置検出センサ３８と、写真プリント１０に穿設されたコマ穴およびソート穴を検出する穴位置検出センサ３９とが設けられている。穴位置検出センサ３９の検出領域は、写真プリント１０に穿設されたコマ穴の位置と、ソート穴の位置とに固定されている。
【００１７】
ＲＦＩＤシート供給部２２から送り出しローラ対３６に引き渡されたＲＦＩＤシート１１は、その先端が穴位置検出センサ３９により検出された写真プリント１０の１画像の先端位置と重なるように、送り出しローラ対３６、３７により第１圧接部２４に向けて送り出される。
【００１８】
第１圧接部２４には、第１押圧ローラ対４０と第２押圧ローラ対４１とが設けられている。第１押圧ローラ対４０は、ＲＦＩＤシート送り出し部２３から送り出されたＲＦＩＤシート１１と、写真プリント１０の接着剤層とを密着させる。第２押圧ローラ対４１は、ＲＦＩＤシート１１と写真プリント１０の接着剤層との密着をさらに確実なものとするために、ＲＦＩＤシート１１が貼り付けられた写真プリント１０を押圧する。
【００１９】
ＲＦＩＤシート１１が貼り付けられた写真プリント１０は、第２スクレーパ４２によりＲＦＩＤシート１１に貼着された両面テープの離形紙４３を剥離されて接着剤層のみが裏面側に残った状態とされ、第２圧接部２７に導かれる。ここで、葉書供給部２５、葉書送り出し部２６、および第２圧接部２７は、ＲＦＩＤシート供給部２２、ＲＦＩＤシート送り出し部２３、および第１圧接部２４とそれぞれ同様の構成を有するので、これらを構成する部品に符号のみを付し、説明を省略する。
【００２０】
切断部２８は、ロールカッタ５３と、このロールカッタ５３の下方に配置された押圧ローラ５４とから構成される。ロールカッタ５３には、図示しない葉書枠の刃が設けられている。このロールカッタ５３は、一定速度で回動して、第２圧接部２７で葉書１２との間にＲＦＩＤシート１１が挟み込まれた写真プリント１０を葉書の４辺に沿って枠抜きする。
【００２１】
ロールカッタ５３の後段に設けられた送り出しローラ対５５は、ロールカッタ５３の枠抜きにより得られた葉書付き写真プリント１３を外部に排出する。外部に排出された葉書付き写真プリント１３は、１件分の注文毎に仕分けされて出荷される。なお、枠抜き残部５６は、押圧ローラ５４の下側に廃棄される。図３に示すように、このようにして作成された葉書付き写真プリント１３は、写真プリント１０と葉書１２との間にＲＦＩＤシート１１が挟み込まれた構成となる。
【００２２】
次に、上記実施形態による作用について、図４に示すフローチャートを参照して説明する。葉書貼り付け機２にロール状の写真プリント１０がセットされ、貼り付け開始の指示がなされると、搬送ローラ群により写真プリント１０が一端から引き出されて接着剤塗布部２１に導かれる。      
【００２３】
接着剤塗布部２１では、両面テープ３１が写真プリント１０の裏面側に貼着される。その後、写真プリント１０は、第１スクレーパ３２により両面テープ３１の離形紙３０が剥離されて接着剤層のみが裏面側に残った状態とされ、第１圧接部２４に導かれる。
【００２４】
ＲＦＩＤシート供給部２２では、昇降台３３が上昇され、昇降台３３に積層されたＲＦＩＤシート１１のうち、最上層にあるＲＦＩＤシート１１が吸着部３４に吸着保持される。吸着部３４に吸着保持されたＲＦＩＤシート１１はスライド送りされて、ＲＦＩＤシート送り出し部２３の送り出しローラ対３６に引き渡される。
【００２５】
ＲＦＩＤシート送り出し部２３では、先端位置検出センサ３８によりＲＦＩＤシート１１の先端が検出され、穴位置検出センサ３９により写真プリント１０に穿設されたコマ穴およびソート穴が検出される。送り出しローラ対３６に引き渡されたＲＦＩＤシート１１は、その先端が写真プリント１０の１画像の先端位置と重なるように送り出しローラ対３６、３７により第１圧接部２４に向けて送り出される。
【００２６】
第１圧接部２４では、写真プリント１０の１画像と一致するように送り出されたＲＦＩＤシート１１が、第１押圧ローラ対４０により押圧されて、両面テープ３１の接着剤層とＲＦＩＤシート１１とが密着された後、第２押圧ローラ対４１によりさらに押圧されて、その密着を確実にされる。
【００２７】
ＲＦＩＤシート１１が貼着された写真プリント１０は、第２スクレーパ４２によりＲＦＩＤシート１１の両面テープの離形紙４３が剥離されて接着剤層のみが裏面側に残った状態とされ、第２圧接部２７に導かれる。
【００２８】
葉書供給部２５では、昇降台４４が上昇され、昇降台４４に積層された葉書１２のうち、最上層にある葉書１２が吸着部４５に吸着保持される。吸着部４５に吸着保持された葉書１２はスライド送りされて、葉書送り出し部２６の送り出しローラ対４７に引き渡される。
【００２９】
葉書送り出し部２６では、先端位置検出センサ４９により葉書１２の先端が検出され、穴位置検出センサ５０により写真プリント１０に穿設されたコマ穴およびソート穴が検出される。送り出しローラ対４７に引き渡された葉書１２は、その先端が写真プリント１０の１画像の先端位置と重なるように送り出しローラ対４７、４８により第２圧接部２７に向けて送り出される。
【００３０】
第２圧接部２７では、写真プリント１０の１画像と一致するように送り出された葉書１２が、第１押圧ローラ対５１により押圧されて、ＲＦＩＤシート１１の両面テープの接着剤層と葉書１２とが密着された後、第２押圧ローラ対５２によりさらに押圧されて、その密着を確実にされ、切断部２８に送られる。これにより、写真プリント１０と葉書１２との間にＲＦＩＤシート１１が挟み込まれる。
【００３１】
切断部２８では、ＲＦＩＤシート１１が葉書１２との間に挟み込まれた写真プリント１０が、一定速度で回動するロールカッタ５３に押圧ローラ５４により押し付けられて葉書の４辺に沿って枠抜きされる。枠抜きにより得られた葉書付き写真プリント１３は、送り出しローラ対５５により外部に排出される。
【００３２】
上記のような構成であると、葉書付き写真プリント１３に多くの情報を盛り込むことができる。また、葉書付き写真プリント１３を受け取る側が、ＲＦＩＤリーダで読み取るだけで、確実且つ簡単にＲＦＩＤシート１１のメモリ６０に記録された写真プリント１０や差出人に関する情報を得ることができる。さらに、ＲＦＩＤリーダで読み取った情報をパーソナルコンピュータに取り込み、この情報を元にデータベースを構築しておけば、情報の管理・編集（修正、追加、削除、検索など）を容易に行うことが可能となる。
【００３３】
本発明を一般ユーザー向けにサービスとして提供する場合、一般ユーザーは、写真フイルムとともに、ＲＦＩＤシート１１のメモリ６０に記録すべき情報を記録したＣＤ−ＲＯＭなどの記憶媒体を街頭のＤＰＥ店などに持ち込み、葉書付き写真プリント１３の作成を依頼する。
【００３４】
なお、ＲＦＩＤシートではなく、ＲＦＩＤタグを写真プリントあるいは葉書にすきこんだ構成としてもよい。また、本発明は、葉書付き写真プリントだけではなく、名刺に応用することもできる。この場合、ＲＦＩＤシート１１のメモリ６０に記録する情報としては、会社名、所属部署、役職名、氏名、住所、電話番号、ＦＡＸ番号、メールアドレスなどは勿論、会社の宣伝や製品の写真などが挙げられる。この場合も上記実施形態と同様に、ＲＦＩＤリーダで読み取った情報をパーソナルコンピュータに取り込み、この情報を元にデータベースを構築しておけば、情報の管理・編集を容易に行うことが可能となる。
【図面の簡単な説明】
【００３５】
【図１】本発明を適用した葉書貼り付け機の概略構成を示す図である。
【図２】ＲＦＩＤシートの内部構成を示す図である。
【図３】葉書付き写真プリントの構成を示す断面図である。
【図４】葉書付き写真プリントの作成手順を示すフローチャートである。
【符号の説明】
【００３６】
２  葉書貼り付け機
１０  写真プリント
１１  ＲＦＩＤシート
１２  葉書
１３  葉書付き写真プリント
２１  接着剤塗布部
２２  ＲＦＩＤシート供給部
２３  ＲＦＩＤシート送り出し部
２４  第１圧接部
２５  葉書供給部
２６  葉書送り出し部
２７  第２圧接部
２８  切断部
３１  両面テープ
３２、４２  第１、第２スクレーパ
４０、４１、５１、５２  第１、第２押圧ローラ対
５３  ロールカッタ
６０  メモリ
６１  制御回路
６３  ＲＦ回路
【図１】
2005144706.tif 000003
【図２】
2005144706.tif 000004
【図３】
2005144706.tif 000005
【図４】
2005144706.tif 000006